(57)【特許請求の範囲】
【請求項１】
シート状基板に設けられ、第１及び第２スイッチ群を有する複数のスイッチを導通検査するのに用いられる検査治具であって、
前記第１スイッチ群の各スイッチを同時に押圧するための第１押圧手段と、前記第２スイッチ群の各スイッチを同時に押圧するための第２押圧手段と、を備え、前記第１押圧手段は、前記第１スイッチ群の各スイッチに対応して配設された複数の第１押圧ピンと、前記複数の第１押圧ピンを支持するための第１支持部材と、を備え、前記第２押圧手段は、前記第２スイッチ群の各スイッチに対応して配設された複数の第２押圧ピンと、前記複数の第２押圧ピンを支持するための第２支持部材と、を備え、前記第１及び第２支持部材は相互に対向して配設され、前記第１支持部材は、前記第２支持部材に対して前記シート状基板に近接及び離隔する方向に移動自在に支持され、前記第２支持部材は、前記第１支持部材に対して前記シート状基板に近接及び離隔する方向に移動自在に支持され、前記第１及び第２押圧ピンはそれぞれ前記シート状基板の方向に延び、前記第２支持部材には、前記複数の第１押圧ピンに対応して複数の貫通孔が設けられ、前記複数の第１押圧ピンの各々は対応する貫通孔に移動自在に挿通され、
前記第１支持部材が前記第２支持部材に対して前記シート状基板に近接する方向に移動されると、前記第１スイッチ群の各スイッチが前記複数の第１押圧ピンにより同時に押圧され、また前記第２支持部材が前記第１支持部材に対して前記シート状基板に近接する方向に移動されると、前記第２スイッチ群の各スイッチが前記複数の第２押圧ピンにより同時に押圧されることを特徴とする検査治具。
【請求項２】
前記第１及び第２支持部材にはそれぞれ、前記シート状基板と反対方向に延びる第１及び第２操作部材が設けられ、前記第１支持部材には、前記第２操作部材が移動自在に挿通される挿通孔が設けられ、
前記第１操作部材を押圧操作すると、前記第１支持部材が前記第２支持部材に対して前記シート状基板に近接する方向に移動され、また前記第２操作部材を押圧操作すると、前記第２支持部材が前記第１支持部材に対して前記シート状基板に近接する方向に移動されることを特徴とする請求項１に記載の検査治具。
【請求項３】
前記第１及び第２支持部材に関連して、前記第１支持部材を前記シート状基板と反対方向に向けて弾性的に偏倚するための複数の第１弾性偏倚手段と、前記第２支持部材を前記シート状基板と反対方向に向けて弾性的に偏倚するための複数の第２弾性偏倚手段とが設けられていることを特徴とする請求項１又は２に記載の検査治具。
【請求項４】
前記第１押圧ピンの前記第１支持部材から前記シート状基板の方向への突出長さは、前記第２押圧ピンの前記第２支持部材から前記シート状基板の方向への突出長さよりも長く構成され、前記複数の第１及び第２押圧ピンの各先端部が前記シート状基板に当接されると、前記第１及び第２支持部材は所定の間隔を置いて相互に対向して配設されることを特徴とする請求項１〜３のいずれかに記載の検査治具。
【発明の詳細な説明】
【技術分野】
【０００１】
本発明は、例えば携帯電話機などの電子機器の操作パネルやパソコン用キーボードなどに内蔵されるスイッチを導通検査するのに用いられる検査治具に関する。
【背景技術】
【０００２】
例えば携帯電話機などの電子機器の操作パネルやパソコン用キーボードなどにはメンブレンスイッチが内蔵され、このメンブレンスイッチは、シート状基板と、シート状基板に設けられた複数のスイッチと、を備えている（例えば、特許文献１参照）。シート状基板は、上部電極シートと下部電極シートとをスペーサを介して積層することにより構成されている。スイッチは、スペーサに形成された孔部において、上部電極シート及び下部電極シートの相互に対向する面に設けられた一対の電極から構成され、スペーサによって一対の電極は電気的に絶縁されている。スイッチ（即ち、上部電極シートの電極に対応する部位）を押圧すると、上部電極シートが撓んで一対の電極が相互に電気的に接触し、これによりスイッチが電気的に導通される。
【０００３】
上述したメンブレンスイッチの製造工程においては、スイッチを押圧した際にスイッチが正常に電気的に導通するか否かを検査する導通検査が行われる。この導通検査は検査装置を用いて行われ、この検査装置には、複数のスイッチの各々に対応する複数の表示ランプが設けられている。この導通検査では、メンブレンスイッチをこの検査装置にセッティングした後に、複数のスイッチを１個ずつ順に検査員が指などで押圧し、スイッチが正常に電気的に導通されているときには、検査装置の対応する表示ランプが点灯し、スイッチが電気的接触不良などにより電気的に導通されていないときには、検査装置の対応する表示ランプが点滅する。
【０００４】
【特許文献１】特開平９−２４５５６３号公報
【発明の開示】
【発明が解決しようとする課題】
【０００５】
しかしながら、上述のような従来のスイッチの導通検査では、複数のスイッチを１個ずつ順に押圧するので、非常に手間がかかり、検査効率が低下するという問題がある。
本発明の目的は、スイッチの導通検査を効率良く行うことができる検査治具を提供することである。
【課題を解決するための手段】
【０００６】
本発明の請求項１に記載の検査治具では、シート状基板に設けられ、第１及び第２スイッチ群を有する複数のスイッチを導通検査するのに用いられる検査治具であって、
前記第１スイッチ群の各スイッチを同時に押圧するための第１押圧手段と、前記第２スイッチ群の各スイッチを同時に押圧するための第２押圧手段と、を備え、前記第１押圧手段は、前記第１スイッチ群の各スイッチに対応して配設された複数の第１押圧ピンと、前記複数の第１押圧ピンを支持するための第１支持部材と、を備え、前記第２押圧手段は、前記第２スイッチ群の各スイッチに対応して配設された複数の第２押圧ピンと、前記複数の第２押圧ピンを支持するための第２支持部材と、を備え、前記第１及び第２支持部材は相互に対向して配設され、前記第１支持部材は、前記第２支持部材に対して前記シート状基板に近接及び離隔する方向に移動自在に支持され、前記第２支持部材は、前記第１支持部材に対して前記シート状基板に近接及び離隔する方向に移動自在に支持され、前記第１及び第２押圧ピンはそれぞれ前記シート状基板の方向に延び、前記第２支持部材には、前記複数の第１押圧ピンに対応して複数の貫通孔が設けられ、前記複数の第１押圧ピンの各々は対応する貫通孔に移動自在に挿通され、
前記第１支持部材が前記第２支持部材に対して前記シート状基板に近接する方向に移動されると、前記第１スイッチ群の各スイッチが前記複数の第１押圧ピンにより同時に押圧され、また前記第２支持部材が前記第１支持部材に対して前記シート状基板に近接する方向に移動されると、前記第２スイッチ群の各スイッチが前記複数の第２押圧ピンにより同時に押圧されることを特徴とする。
【０００７】
また、本発明の請求項２に記載の検査治具では、前記第１及び第２支持部材にはそれぞれ、前記シート状基板と反対方向に延びる第１及び第２操作部材が設けられ、前記第１支持部材には、前記第２操作部材が移動自在に挿通される挿通孔が設けられ、
前記第１操作部材を押圧操作すると、前記第１支持部材が前記第２支持部材に対して前記シート状基板に近接する方向に移動され、また前記第２操作部材を押圧操作すると、前記第２支持部材が前記第１支持部材に対して前記シート状基板に近接する方向に移動されることを特徴とする。
【０００８】
さらに、本発明の請求項３に記載の検査治具では、前記第１及び第２支持部材に関連して、前記第１支持部材を前記シート状基板と反対方向に向けて弾性的に偏倚するための複数の第１弾性偏倚手段と、前記第２支持部材を前記シート状基板と反対方向に向けて弾性的に偏倚するための複数の第２弾性偏倚手段とが設けられていることを特徴とする。
【０００９】
また、本発明の請求項４に記載の検査治具では、前記第１押圧ピンの前記第１支持部材から前記シート状基板の方向への突出長さは、前記第２押圧ピンの前記第２支持部材から前記シート状基板の方向への突出長さよりも長く構成され、前記複数の第１及び第２押圧ピンの各先端部が前記シート状基板に当接されると、前記第１及び第２支持部材は所定の間隔を置いて相互に対向して配設されることを特徴とする。
【発明の効果】
【００１０】
本発明の請求項１に記載の検査治具によれば、第１スイッチ群の各スイッチが複数の第１押圧ピンにより同時に押圧され、また第２スイッチ群の各スイッチが複数の第２押圧ピンにより同時に押圧されるので、第１スイッチ群の各スイッチ及び第２スイッチ群の各スイッチの導通検査をそれぞれ同時に行うことができる。従って、導通検査に要する時間を短縮することができ、検査効率を高めることができる。
【００１１】
また、本発明の請求項２に記載の検査治具によれば、第１及び第２支持部材にはそれぞれ第１及び第２操作部材が設けられているので、これら第１及び第２操作部材を押圧操作することにより、第１及び第２支持部材の相対的移動を容易に行うことができる。
【００１２】
さらに、本発明の請求項３に記載の検査治具によれば、複数の第１及び第２弾性偏倚手段が設けられているので、第１及び第２支持部材をシート状基板の方向に相対的に移動させて第１及び第２スイッチ群の各スイッチを押圧した後に、複数の第１及び第２弾性偏倚手段の弾性偏倚力によって、第１及び第２支持部材がシート状基板から離隔する方向に移動され、第１及び第２スイッチ群の各スイッチの押圧を自動的に解除することができる。
【００１３】
また、本発明の請求項４に記載の検査治具によれば、第１押圧ピンの第１支持部材からシート状基板の方向への突出長さは、第２押圧ピンの第２支持部材からシート状基板の方向への突出長さよりも長く構成されているので、複数の第１及び第２押圧ピンの各先端部がシート状基板に当接されることにより、第１及び第２支持部材の離間距離として少なくとも第１及び第２支持部材の相対的移動距離を確保することができる。
【発明を実施するための最良の形態】
【００１４】
以下、添付図面を参照して、本発明に従う検査治具の一実施形態について説明する。図１は、本発明の一実施形態による検査治具を示す斜視図であり、図２は、図１の検査治具を示す分解斜視図であり、図３は、図１の押圧ユニットを示す分解斜視図であり、図４は、検査前における図１の検査治具の概略断面図であり、図５は、検査時における図１の検査治具の概略断面図であり、図６は、図２のメンブレンスイッチの回路構成を簡略的に示すブロック図である。
【００１５】
図１〜図６を参照して、図示の検査治具２は、例えば携帯電話機などの電子機器の操作パネルやパソコン用キーボードなどに搭載されるメンブレンスイッチ４を導通検査するのに用いられる。このメンブレンスイッチ４は可撓性を有するシート状基板６を備え、このシート状基板６には複数のスイッチ８及びコネクタ１０が設けられている。
【００１６】
本実施形態では、シート状基板６に設けられた複数のスイッチ８は第１〜第４スイッチ群１２ａ〜１２ｄを有しており、第１〜第４スイッチ群１２ａ〜１２ｄの各々は４個のスイッチ１４ａ〜１４ｄから構成されている（図２及び図６参照）。第１〜第４スイッチ群１２ａ〜１２ｄの各スイッチ１４ａ〜１４ｄの一方の電極はそれぞれ第１〜第４導通ライン１６ａ〜１６ｄに電気的に接続され、これら第１〜第４導通ライン１６ａ〜１６ｄの各一端部はそれぞれコネクタ１０の第１〜第４端子部１８ａ〜１８ｄに電気的に接続されている。また、第１〜第４スイッチ群１２ａ〜１２ｄの対応するスイッチ１４ａ〜１４ｄの他方の電極はそれぞれ第５〜第８導通ライン１６ｅ〜１６ｈに電気的に接続され、これら第５〜第８導通ライン１６ｅ〜１６ｈの各一端部はそれぞれコネクタ１０の第５〜第８端子部１８ｅ〜１８ｈに電気的に接続されている。
【００１７】
次に、検査治具２の構成について説明する。検査治具２は、下側プレート２０と、下側プレート２０の上方に配設された上側プレート２２と、下側プレート２０と上側プレート２２との間に配設された支持プレート２４と、支持プレート２４に支持された押圧ユニット２６と、を備えている。
【００１８】
押圧ユニット２６は、第１スイッチ群１２ａの各スイッチ１４ａを同時に押圧するための最上段押圧手段２８と、最上段押圧手段２８の下側に配設され、第２スイッチ群１２ｂの各スイッチ１４ｂを同時に押圧するための中上段押圧手段３０と、中上段押圧手段３０の下側に配設され、第３スイッチ群１２ｃの各スイッチ１４ｃを同時に押圧するための中下段押圧手段３２と、中下段押圧手段３２の下側に配設され、第４スイッチ群１２ｄの各スイッチ１４ｄを同時に押圧するための最下段押圧手段３４と、を備えている。
【００１９】
最上段押圧手段２８は、複数（本実施形態では４本）の最上段押圧ピン３６と、複数の最上段押圧ピン３６を支持するためのプレート状の最上段支持部材３８と、を備えている。複数の最上段押圧ピン３６はシート状基板６の方向に延び、シート状基板６の第１スイッチ群１２ａの各スイッチ１４ａに対応して配設されている。最上段支持部材３８に関連して最上段弾性偏倚手段４０が設けられ、この最上段弾性偏倚手段４０は、最上段支持部材３８を貫通して上下方向に延びるガイドスリーブ４２と、ガイドスリーブ４２の内側に移動自在に配設された最上段押圧ピン３６と、ガイドスリーブ４２と最上段押圧ピン３６との間に配設されたコイルバネ４４とから構成されている。最上段押圧ピン３６の両端部は、ガイドスリーブ４２の両端開口部よりそれぞれ外部に突出されている。コイルバネ４４はその伸張方向に弾性的に偏倚されており、コイルバネ４４の上端部は、ガイドスリーブ４２の上端開口部に当接され、その下端部は、最上段押圧ピン３６の先端部近傍に取り付けられた押圧リング４６に当接されている。この最上段弾性偏倚手段４０によって、最上段支持部材３８はシート状基板６と反対方向に向けて弾性的に偏倚されている。また、最上段支持部材３８には、シート状基板６と反対方向に延びるロッド状の最上段操作部材４８が設けられている。また、最上段支持部材３８には、中上段操作部材６６、中下段操作部材８４及び最下段操作部材１０２の各上端部がそれぞれ移動自在に挿通される複数の挿通孔５０が設けられ、更に、最上段押圧手段２８の下側に配設された中上段押圧手段３０の中上段押圧ピン５６、中下段押圧手段３２の中下段押圧ピン７４及び最下段押圧手段３４の最下段押圧ピン９２の各基端部がそれぞれ移動自在に挿通される複数の貫通孔５２が設けられている。更に、最上段支持部材３８の外周部には複数のガイド孔５４が設けられている。
【００２０】
中上段押圧手段３０は、複数（本実施形態では４本）の中上段押圧ピン５６と、複数の中上段押圧ピン５６を支持するためのプレート状の中上段支持部材５８と、を備え、中上段支持部材５８は最上段支持部材３８の下方に対向して配設されている。複数の中上段押圧ピン５６はシート状基板６の方向に延び、シート状基板６の第２スイッチ群１２ｂの各スイッチ１４ｂに対応して配設されている。中上段押圧ピン５６の中上段支持部材５８からシート状基板６の方向への突出長さＬ２は、最上段押圧ピン３６の最上段支持部材３８からシート状基板６の方向への突出長さＬ１よりも短く構成されている。中上段支持部材５８に関連して中上段弾性偏倚手段６０が設けられ、この中上段弾性偏倚手段６０は最上段弾性偏倚手段４０と同様に、ガイドスリーブ６２、中上段押圧ピン５６及びコイルバネ６４から構成されている。この中上段弾性偏倚手段６０によって、中上段支持部材５８はシート状基板６と反対方向に向けて弾性的に偏倚されている。また、中上段支持部材５８には、シート状基板６と反対方向に延びるロッド状の中上段操作部材６６が設けられ、その長さは最上段操作部材４８の長さよりも長く構成されている。また、中上段支持部材５８には、中下段操作部材８４及び最下段操作部材１０２の各上端部がそれぞれ移動自在に挿通される複数の挿通孔６８が設けられ、更に、中上段押圧手段３０の上側に配設された最上段押圧手段２８の最上段押圧ピン３６の先端部並びに中上段押圧手段３０の下側に配設された中下段押圧手段３２の中下段押圧ピン７４及び最下段押圧手段３４の最下段押圧ピン９２の各基端部がそれぞれ移動自在に挿通される複数の貫通孔７０が設けられている。更に、中上段支持部材５８の外周部には複数のガイド孔７２が設けられている。
【００２１】
中下段押圧手段３２は、複数（本実施形態では４本）の中下段押圧ピン７４と、複数の中下段押圧ピン７４を支持するためのプレート状の中下段支持部材７６と、を備え、中下段支持部材７６は中上段支持部材５８の下方に対向して配設されている。複数の中下段押圧ピン７４はシート状基板６の方向に延び、シート状基板６の第３スイッチ群１２ｃの各スイッチ１４ｃに対応して配設されている。中下段押圧ピン７４の中下段支持部材７６からシート状基板６の方向への突出長さＬ３は、中上段押圧ピン５６の中上段支持部材５８からシート状基板６の方向への突出長さＬ２よりも短く構成されている。中下段支持部材７６に関連して中下段弾性偏倚手段７８が設けられ、この中下段弾性偏倚手段７８は最上段弾性偏倚手段４０と同様に、ガイドスリーブ８０、中下段押圧ピン７４及びコイルバネ８２から構成されている。この中下段弾性偏倚手段７８によって、中下段支持部材７６はシート状基板６と反対方向に向けて弾性的に偏倚されている。また、中下段支持部材７６には、シート状基板６と反対方向に延びるロッド状の中下段操作部材８４が設けられ、その長さは中上段操作部材６６の長さよりも長く構成されている。また、中下段支持部材７６には、最下段操作部材１０２の上端部が移動自在に挿通される挿通孔８６が設けられ、更に、中下段押圧手段３２の上側に配設された最上段押圧手段２８の最上段押圧ピン３６及び中上段押圧手段３０の中上段押圧ピン５６の各先端部並びに中下段押圧手段３２の下側に配設された最下段押圧手段３４の最下段押圧ピン９２の基端部がそれぞれ移動自在に挿通される複数の貫通孔８８が設けられている。更に、中下段支持部材７６の外周部には複数のガイド孔９０が設けられている。
【００２２】
最下段押圧手段３４は、複数（本実施形態では４本）の最下段押圧ピン９２と、複数の最下段押圧ピン９２を支持するためのプレート状の最下段支持部材９４と、を備え、最下段支持部材９４は中下段支持部材７６の下方に対向して配設されている。複数の最下段押圧ピン９２はシート状基板６の方向に延び、シート状基板６の第４スイッチ群１２ｄの各スイッチ１４ｄに対応して配設されている。第４押圧ピン１２ｄの最下段支持部材９４からシート状基板６の方向への突出長さＬ４は、中下段押圧ピン７４の中下段支持部材７６からシート状基板６の方向への突出長さＬ３よりも短く構成されている。最下段支持部材９４に関連して最下段弾性偏倚手段９６が設けられ、この最下段弾性偏倚手段９６は最上段弾性偏倚手段４０と同様に、ガイドスリーブ９８、最下段押圧ピン９２及びコイルバネ１００から構成されている。この最下段弾性偏倚手段９６によって、最下段支持部材９４はシート状基板６と反対方向に向けて弾性的に偏倚されている。また、最下段支持部材９４には、シート状基板６と反対方向に延びるロッド状の最下段操作部材１０２が設けられ、その長さは中下段操作部材８４の長さよりも長く構成されている。また、最下段支持部材９４には、最下段押圧手段３４の上側に配設された最上段押圧手段２８の最上段押圧ピン３６、中上段押圧手段３０の中上段押圧ピン５６及び中下段押圧手段３２の中下段押圧ピン７４の各先端部がそれぞれ移動自在に挿通される複数の貫通孔１０４が設けられている。更に、最下段支持部材９４の外周部には複数のガイド孔１０６が設けられている。
【００２３】
下側プレート２０の上面には複数の位置決め用突部１０８が設けられ、これら複数の位置決め用突部１０８は導通検査すべきシート状基板６の外周部に対応して配設されている。また、下側プレート２０の上面における両端部にはそれぞれ位置決め用凹部１１０が設けられている。
【００２４】
上側プレート２２には、固定用ネジ１１２が挿通される複数のネジ挿通孔１１４が設けられている。また、上側プレート２２の中央部には複数の挿通孔１１６が設けられ、操作部材４８、６６、８４、１０２の各上端部は複数の挿通孔１１６を通して上側プレート２２の上側に延びている。
【００２５】
支持プレート２４の上面には、押圧ユニット２６の下端部が収容される収容凹部１１７が設けられている。この収容凹部１１７には、複数の押圧ピン３６、５６、７４、９２の各先端部に対応して複数の貫通孔１１８が設けられている。また、収容凹部１１７にはシート状基板６と反対方向に延びる複数のガイドポスト１２０が設けられ、このガイドポスト１２０の上端部には離脱防止用ネジ１２２が螺着されるネジ孔１２４が設けられている。このガイドポスト１２０は支持部材３８、５８、７６、９４の各ガイド孔５４、７２、９０、１０６に移動自在に挿通され、これにより支持部材３８、５８、７６、９４の各々は、シート状基板６に近接及び離隔する方向に相対的に移動自在に支持されている。各押圧ピン３６、５６、７４、９２のシート状基板６の方向への突出長さＬ１〜Ｌ４は上述のように構成されているので、押圧ピン３６、５６、７４、９２の各先端部がシート状基板６の上面に当接されると、各支持部材３８、５８、７６、９４は所定の間隔を置いて相互に対向して配設される。なお、各支持部材３８、５８、７６、９４の相互に隣接する離間距離は、各支持部材３８、５８、７６、９４の相対的移動距離又はこれよりも大きく構成されている。
【００２６】
支持プレート２４の上面には、複数の支柱１２６が上方に延びて設けられている。この支柱１２６の上端部にはネジ孔１２８が設けられ、固定用ネジ１１２が上側プレート２２のネジ挿通孔１１４を通して支柱１２６のネジ孔１２８に螺着されている。また、支持プレート２４の下面における両端部にはそれぞれ、下方に延びる位置決め用突部１３０が設けられている。
【００２７】
また、支持プレート２４には、複数の弾性支持手段１３２を介して押圧プレート１３４がシート状基板６に近接及び離隔する方向に移動自在に支持されている。この弾性支持手段１３２は、支持プレート２４を貫通して上下方向に延びるガイドスリーブ１３６と、ガイドスリーブ１３６の内側に移動自在に配設されたガイドピン１３８と、ガイドスリーブ１３６とガイドピン１３８との間に配設されたコイルバネ１４０とから構成されている。ガイドピン１３８の両端部は、ガイドスリーブ１３６の両端開口部よりそれぞれ外部に突出されている。ガイドピン１３８の下端部にはネジ孔１４２が設けられ、またその上端部には、ガイドスリーブ１３６の上端開口部に着脱自在に係止される係止リング１４４が設けられている。コイルバネ１４０はその伸張方向に弾性的に偏倚されており、コイルバネ１４０の下端部は、ガイドピン１３８の下端部近傍に設けられた押圧リング１４６に当接され、その上端部は、ガイドスリーブ１３６の上端開口部に当接されている。この弾性支持手段１３２によって、押圧プレート１３４は支持プレート２４から離隔する方向に弾性的に偏倚されている。
【００２８】
押圧プレート１３４には複数の貫通孔１４８が設けられ、複数の押圧ピン３６、５６、７４、９２の各先端部は、支持プレート２４の複数の貫通孔１１８及び押圧プレート１３４の複数の貫通孔１４８を通して押圧プレート１３４の下側に延びている。また、押圧プレート１３４には複数のネジ挿通孔１５０が設けられ、固定用ネジ１５２がこのネジ挿通孔１５０を通してガイドピン１３８のネジ孔１４２に螺着されている。また、押圧プレート１３４の両端部にはそれぞれ挿通孔（図示せず）が設けられており、支持プレート２４の位置決め用突部１３０はこの挿通孔を通して押圧プレート１３４の下側に延び、下側プレート２０の位置決め用凹部１１０に挿脱自在に挿入される。また、押圧プレート１３４の下面には、下側プレート２０の位置決め用突部１０８が挿入される挿入凹部１５５が設けられている。
【００２９】
上述した検査治具２を用いてスイッチ８の導通検査を行う方法について説明すると、次の通りである。支持プレート２４の位置決め用突部１３０を下側プレート２０の位置決め用凹部１１０から離脱した状態にて、シート状基板６を位置決め用突部１０８に沿って下側プレート２０の上面に位置決め載置し、シート状基板６のコネクタ１０と検査装置（図示せず）とを通信ケーブル（図示せず）を介して電気的に接続する。この検査装置には、第１〜第４スイッチ群１２ａ〜１２ｄの各スイッチ１４ａ〜１４ｄに対応してそれぞれ複数の表示ランプ（図示せず）が設けられており、例えば、第１スイッチ群１２ａの各スイッチ１４ａに対応する複数の表示ランプは、第１端子部１８ａと第５〜第８端子部１８ｅ〜１８ｈとの間にそれぞれ電気的に接続され、第２スイッチ群１２ｂの各スイッチ１４ｂに対応する複数の表示ランプは、第２端子部１８ｂと第５〜第８端子部１８ｅ〜１８ｈとの間にそれぞれ電気的に接続されている。
【００３０】
このようにシート状基板６を位置決め載置した後に、支持プレート２４の位置決め用突部１３０を下側プレート２０の位置決め用凹部１１０に挿入すると、シート状基板６が押圧プレート１３４と下側プレート２０との間に挟持され、複数の押圧ピン３６、５６、７４、９２の各先端部がシート状基板６の上面に当接される（図４参照）。この状態から支持プレート２４を押圧プレート１３４に対してシート状基板６の方向に移動させると、弾性支持手段１３２の弾性偏倚力によってシート状基板６が押圧プレート１３４により下方に押圧されるとともに、収容凹部１１７と最下段支持部材９４との間に移動用空間１５６が形成される（図５参照）。この移動用空間１５６は、最下段支持部材９４の相対的移動距離又はこれよりも大きく構成されている。
【００３１】
第１スイッチ群１２ａの各スイッチ１４ａの導通検査を行う際には、最上段弾性偏倚手段４０の弾性偏倚力に抗して最上段操作部材４８の上端部を指などで押圧操作することにより、最上段支持部材３８がシート状基板６に近接する方向に相対的に移動され、第１スイッチ群１２ａの各スイッチ１４ａが複数の最上段押圧ピン３６の各先端部により同時に押圧される。第１スイッチ群１２ａの各スイッチ１４ａの全てが正常に電気的に導通されている場合には、第１スイッチ群１２ａの各スイッチ１４ａに対応する複数の表示ランプが全て点灯され、また、例えば第１スイッチ群１２ａの各スイッチ１４ａのうち特定のスイッチ１４ａが電気的接触不良などにより電気的に導通されていない場合には、この特定のスイッチ１４ａに対応する表示ランプが点滅されるとともに、残りのスイッチ１４ａに対応する表示ランプが点灯される。
【００３２】
従って、メンブレンスイッチ４の製造工程において、検査員などが表示ランプの点灯状態を目視で確認することにより、第１スイッチ群１２ａの各スイッチ１４ａの導通検査を同時に行うことができ、検査効率を高めることができる。また、最上段操作部材４８の上端部から指などを離すと、最上段弾性偏倚手段４０の弾性偏倚力によって最上段支持部材３８がシート状基板６から離隔する方向に相対的に移動され、複数の最上段押圧ピン３６による第１スイッチ群１２ａの各スイッチ１４ａの押圧が解除される。
【００３３】
上述と同様に、第２（第３）（第４）スイッチ群１２ｂ（１２ｃ）（１２ｄ）の各スイッチの導通検査を行う際には、中上段弾性偏倚手段６０（中下段弾性偏倚手段７８）（最下段弾性偏倚手段９６）の弾性偏倚力に抗して中上段操作部材６６（中下段操作部材８４）（最下段操作部材１０２）の上端部を指などで押圧操作することにより、中上段支持部材５８（中下段支持部材７６）（最下段支持部材９４）がシート状基板６に近接する方向に相対的に移動され、第２（第３）（第４）スイッチ群１２ｂ（１２ｃ）（１２ｄ）の各スイッチ１４ｂ（１４ｃ）（１４ｄ）が複数の中上段押圧ピン５６（中下段押圧ピン７４）（最下段押圧ピン９２）の各先端部により同時に押圧される。
【００３４】
なお、本実施形態において、最上段押圧手段２８を第１押圧手段としたときには、中上段押圧手段３０、中下段押圧手段３２及び最下段押圧手段３４のいずれかが第２押圧手段となり、中上段押圧手段３０を第１押圧手段としたときには、中下段押圧手段３２及び最下段押圧手段３４のいずれか一方が第２押圧手段となり、また、中下段押圧手段３２を第１押圧手段としたときには、最下段押圧手段３４が第２押圧手段となる。例えば、最上段押圧手段２８を第１押圧手段としたときには、最上段押圧ピン３６が第１押圧ピンを構成し、最上段支持部材３８が第１支持部材を構成し、最上段弾性偏倚手段４０が第１弾性偏倚手段を構成し、最上段操作部材４８が第１操作部材を構成する。また例えば、中上段押圧手段３０を第２押圧手段としたときには、中上段押圧ピン５６が第２押圧ピンを構成し、中上段支持部材５８が第２支持部材を構成し、中上段弾性偏倚手段６０が第２弾性偏倚手段を構成し、中上段操作部材６６が第２操作部材を構成する。
【００３５】
以上、本発明に従う検査治具の一実施形態について説明したが、本発明はかかる実施形態に限定されるものではなく、本発明の範囲を逸脱することなく種々の変形乃至修正が可能である。
【００３６】
例えば、上記実施形態では、メンブレンスイッチ４は第１〜第４スイッチ群１２ａ〜１２ｄを有するように構成したが、スイッチ群の数は適宜設定することができる。また、押圧ピン３６、５６、７４、９２の配置や本数は、メンブレンスイッチ４のスイッチ８の配置や個数に応じて適宜設定すればよい。
【００３７】
また例えば、上記実施形態では、メンブレンスイッチ４を導通検査する場合について説明したが、シート状基板６に複数の押圧スイッチ８が設けられている形態のものであれば、メンブレンスイッチ４以外のものに対しても適用することができる。
【００３８】
また例えば、上記実施形態では、押圧ユニット２６は４つの押圧手段２８、３０、３２、３４を備えるように構成したが、これらのうち２つ又は３つを備えるように構成してもよく、あるいは５つ以上備えるように構成してもよい。
【００３９】
また例えば、上記実施形態では、操作部材４８、６６、８４、１０２を指などを用いて手作業で押圧するようにしたが、例えば電磁ソレノイドなどを用いて自動的に押圧するようにしてもよい。
【図面の簡単な説明】
【００４０】
【図１】本発明の一実施形態による検査治具を示す斜視図である。
【図２】図１の検査治具を示す分解斜視図である。
【図３】図１の押圧ユニットを示す分解斜視図である。
【図４】検査前における図１の検査治具の概略断面図である。
【図５】検査時における図１の検査治具の概略断面図である。
【図６】図２のメンブレンスイッチの回路構成を簡略的に示すブロック図である。
【符号の説明】
【００４１】
２  検査治具
６  シート状基板
８  スイッチ
１２ａ〜１２ｄ  第１〜第４スイッチ群
１４ａ〜１４ｄ  スイッチ
２８  最上段押圧手段
３０  中上段押圧手段
３２  中下段押圧手段
３４  最下段押圧手段
３６  最上段押圧ピン
３８  最上段支持部材
４８  最上段操作部材
５６  中上段押圧ピン
５８  中上段支持部材
６６  中上段操作部材
７４  中下段押圧ピン
７６  中下段支持部材
８４  中下段操作部材
９２  最下段押圧ピン
９４  最下段支持部材
１０２  最下段操作部材
【図１】
0004976335.tif 000002
【図２】
0004976335.tif 000003
【図３】
0004976335.tif 000004
【図４】
0004976335.tif 000005
【図５】
0004976335.tif 000006
【図６】
0004976335.tif 000007